(57)【特許請求の範囲】
【請求項１】
親機と子機とを備え、当該親機と当該子機との間においては、制御データ伝送用の第１フィールドと前記第１フィールドよりもデータ長が長い音声データ伝送用の第２フィールドとを有する伝送単位でデータの伝送を行い、ＴＤＭＡ（Time Division Multiple Access；時分割多元接続）／ＴＤＤ（Time Division Duplex；時分割複信）方式の無線通信方式を用いるコードレス電話装置であって、
前記親機は、
前記子機からの通話開始要求を通話の相手先に送信したことに応じて前記相手先から送られてくる応答を受信したことにより、前記相手先と前記子機との間に通話回線を接続した状態である通話状態であると判別し、前記子機からの通話終了要求を前記相手先に送信したことに応じて前記相手先から送られてくる応答を受信したことにより、前記通話回線を解放した状態である非通話状態であると判別する第１の通話状態判別手段と、
前記第１の通話状態判別手段の判別結果に基づいて、前記通話回線を接続した状態である前記通話状態には、前記第１フィールドを用いて制御データを伝送し、前記第２フィールドを用いて音声データを伝送するようにし、前記通話回線を解放した状態である前記非通話状態には、少なくとも前記第２フィールドを用いて制御データを伝送するように制御する第１の送信制御手段と
を備え、
前記子機は、
発信を指示する操作を受け付けた場合に、通話の相手先への通話開始要求を形成して前記親機に送信したことに応じて前記親機からの応答を受信したことにより、前記相手先と自機との間に通話回線を接続した状態である通話状態であると判別し、前記通話回線を解放するように指示する操作を受け付けた場合に、通話終了要求を形成して前記親機に送信したことに応じて、前記親機からの応答を受信したことにより、前記通話回線を解放した状態である非通話状態であると判別する第２の通話状態判別手段と、
前記第２の通話状態判別手段の判別結果に基づいて、前記通話回線を接続した状態である前記通話状態には、前記第１フィールドから制御データを抽出し、前記第２フィールドから音声データを抽出して処理するように制御し、前記通話回線を解放した状態である前記非通話状態には、少なくとも前記第２フィールドから制御データを抽出して処理するように制御する第１の受信制御手段と
を備えることを特徴とするコードレス電話装置。
【請求項２】
請求項１に記載のコードレス電話装置であって、
前記子機は、
前記第２の通話状態判別手段の判別結果に基づいて、前記通話回線を接続した状態である前記通話状態には、前記第１フィールドを用いて制御データを伝送し、前記第２フィールドを用いて音声データを伝送するように制御し、前記通話回線を解放した状態である前記非通話状態には、少なくとも前記第２フィールドを用いて制御データを伝送するように制御する第２の送信制御手段を備え、
前記親機は、
前記第１の通話状態判別手段の判別結果に基づいて、前記通話回線を接続した状態である前記通話状態には、前記第１フィールドから制御データを抽出し、前記第２フィールドから音声データを抽出して処理するように制御し、前記通話回線を解放した状態である前記非通話状態には、少なくとも前記第２フィールドから制御データを抽出して処理するように制御する第２の受信制御手段と
を備えることを特徴とするコードレス電話装置。
【請求項３】
請求項２に記載のコードレス電話装置であって、
前記親機の前記第１の送信制御手段または前記子機の前記第２の送信制御手段は、前記第１の通話状態判別手段または前記第２の通話状態判別手段の判別結果に基づいて、前記通話回線を解放した状態である前記非通話状態には、前記第１フィールドを用いて、前記第１フィールドと前記第２フィールドとの使用態様を示す識別情報と、少なくとも制御データのデータ長を含む前記制御データのヘッダ情報とを伝送し、前記第２フィールドを用いて前記制御データを伝送するように制御し、
前記親機の前記第２の受信制御手段または前記子機の前記第１の受信制御手段は、前記第１の通話状態判別手段または前記第２の通話状態判別手段の判別結果に基づいて、前記通話回線を解放した状態である前記非通話状態には、受信したデータの前記第１フィールドの前記識別情報をも考慮して、前記第１、第２フィールドを用いて伝送されるデータを抽出して処理することを特徴とするコードレス電話装置。
【請求項４】
請求項２に記載のコードレス電話装置であって、
前記親機の前記第１の送信制御手段または前記子機の前記第２の送信制御手段は、前記第１の通話状態判別手段または前記第２の通話状態判別手段の判別結果に基づいて、前記通話回線を解放した状態である前記非通話状態には、前記第１フィールドを用いて、前記第１フィールドと前記第２フィールドとの使用態様を示す識別情報と、少なくとも制御データのデータ長を含む前記制御データのヘッダ情報と、前記制御データの一部とを伝送し、前記第２フィールドを用いて制御データの他の部分を伝送するように制御し、
前記親機の前記第２の受信制御手段または前記子機の前記第１の受信制御手段は、前記第１の通話状態判別手段または前記第２の通話状態判別手段の判別結果に基づいて、前記通話回線を解放した状態である前記非通話状態には、受信したデータの前記第１フィールドの前記識別情報をも考慮して、前記第１、第２フィールドを用いて伝送されるデータを抽出して処理することを特徴とするコードレス電話装置。
【請求項５】
親機と子機とを備え、当該親機と当該子機との間においては、制御データ伝送用の第１フィールドと前記第１フィールドよりもデータ長が長い音声データ伝送用の第２フィールドとを有する伝送単位でデータの伝送を行い、ＴＤＭＡ（Time Division Multiple Access；時分割多元接続）／ＴＤＤ（Time Division Duplex；時分割複信）方式の無線通信方式を用いるコードレス電話装置で用いられる無線通信方法であって、
前記親機においては、
第１の通話状態判別手段が、前記子機からの通話開始要求を通話の相手先に送信したことに応じて前記相手先から送られてくる応答を受信したことにより、前記相手先と前記子機との間に通話回線を接続した状態である通話状態であると判別し、前記子機からの通話終了要求を前記相手先に送信したことに応じて前記相手先から送られてくる応答を受信したことにより、前記通話回線を解放した状態である非通話状態であると判別する第１の通話状態判別工程と、
前記第１の通話状態判別工程においての判別結果に基づいて、前記通話回線を接続した状態である前記通話状態には、第１の送信制御手段が、前記第１フィールドを用いて制御データを伝送し、前記第２フィールドを用いて音声データを伝送するように制御し、前記通話回線を解放した状態である前記非通話状態には、前記第１の送信制御手段が、少なくとも前記第２フィールドを用いて制御データを伝送するように制御する第１の送信制御工程と
を行い、
前記子機においては、
発信を指示する操作を受け付けた場合に、通話の相手先への通話開始要求を形成して前記親機に送信したことに応じて前記親機からの応答を受信したことにより、第２の通話状態判別手段が、前記相手先と自機との間に通話回線を接続した状態である通話状態であると判別し、前記通話回線を解放するように指示する操作を受け付けた場合に、通話終了要求を形成して前記親機に送信したことに応じて前記親機からの応答を受信したことにより、前記第２の通話状態判別手段が、前記通話回線を解放した状態である非通話状態であるとする第２の通話状態判別工程と、
前記第２の通話状態判別工程の判別結果に基づいて、前記通話回線を接続した状態である前記通話状態には、第１の受信制御手段が、前記第１フィールドから制御データを抽出し、前記第２フィールドから音声データを抽出して処理するように制御し、前記通話回線を解放した状態である前記非通話状態には、前記第１の受信制御手段が、少なくとも前記第２フィールドから制御データを抽出して処理するように制御する第１の受信制御工程と
を行う無線通信方法。
【請求項６】
請求項５に記載のコードレス電話装置で用いられる無線通信方法であって、
前記子機においては、
前記第２の通話状態判別工程においての判別結果に基づいて、前記通話回線を接続した状態である前記通話状態には、第２の送信制御手段が、前記第１フィールドを用いて制御データを伝送し、前記第２フィールドを用いて音声データを伝送するように制御し、前記通話回線を解放した状態である前記非通話状態には、前記第２の送信制御手段が、少なくとも前記第２フィールドを用いて制御データを伝送するように制御する第２の送信制御工程を行い、
前記親機においては、
前記第１の通話状態判別工程においての判別結果に基づいて、前記通話回線を接続した状態である前記通話状態には、第２の受信制御手段が、前記第１フィールドから制御データを抽出し、前記第２フィールドから音声データを抽出して処理するように制御し、前記通話回線を解放した状態である前記非通話状態には、前記第２の受信制御手段が、少なくとも前記第２フィールドから制御データを抽出して処理するように制御する第２の受信制御工程を行うことを特徴とする無線通信方法。
【発明の詳細な説明】
【技術分野】
【０００１】
この発明は、デジタルコードレス電話に適用して好適なＴＤＭＡ（Time Division Multiple Access；時分割多元接続）／ＴＤＤ（Time Division Duplex；時分割複信）方式の無線通信方式を利用した無線通信システム、無線通信装置及び無線通信方法に関する。
【背景技術】
【０００２】
日本においては、デジタルコードレス電話の標準規格Ｔ１０１が、一般社団法人電波産業会（ＡＲＩＢ）により、２０１１年に策定され、その中に、ＤＥＣＴ（Digital Enhanced Cordless Telecommunication）規格の技術内容が含まれている。
【０００３】
デジタルコードレス電話のＤＥＣＴ規格においては、親機から子機への送信を行う場合の通信方式は時分割多重方式を使用する時分割複信方式であること、子機から親機への送信を行う場合の通信方式は時分割多元接続方式を使用する時分割複信方式であること、周波数は従来のコードレス電話（２．４ＧＨｚ）とは異なる１．９ＧＨｚ帯を使用すること、チャンネル数は、最大５チャンネルであること、などが定められている。
【０００４】
そして、ＤＥＣＴ規格においては、符号化データの、１チャンネルにおける１フレームは、図９（Ａ）に示すように、２４スロットからなるものとされ、前半の１／２フレームの１２スロットＳ０〜Ｓ１１は、親機から子機へのダウンリンクに用いられ、後半の１／２フレームの１２スロットＳ１２〜Ｓ２３は、子機から親機へのアップリンクに用いられる。そして、各スロットは、制御データを伝送するＡフィールドと音声データを伝送するＢフィールドとなどが設けられた構成を有する（例えば、特許文献１（特開２００１−５１０９７２号公報）参照）。
【先行技術文献】
【特許文献】
【０００５】
【特許文献１】特表２００１−５１０９７２号公報
【発明の概要】
【発明が解決しようとする課題】
【０００６】
ＤＥＣＴ規格（方式）における符号化データの１フレームは、上述したように２４スロットからなるが、各スロットは、図９（Ｂ）に示すように、Ｓフィールド、Ａフィールド、Ｂフィールド、Ｘフィールド、保護スペースからなっている。Ｓフィールドは、同期化データ伝送用の３２ビットのエリアであり、Ａフィールドは、制御データ伝送用の６４ビットのエリアである。Ｂフィールドは音声データ伝送用の３２０ビットのエリアであり、Ｘフィールドはパリティチェック用の４ビットのエリアである。Ｘフィールドの後には６０ビットの保護スペースが設けられている。
【０００７】
このように、各スロットは、Ｓフィールド、Ａフィールド、Ｂフィールド、Ｘフィールド、保護スペースからなり、各フィールドの用途は定められている。例えば、デジタルコードレス電話の親機から子機へのＬＥＤ（Light Emitting Device）などのランプ表示用制御データや着信通知などの制御データは、Ａフィールドを用いて伝送される。もちろん、子機から親機への種々の制御データもＡフィールドを用いて伝送される。
【０００８】
このため、オフィスなどに構築されるいわゆるビジネスホンシステムにおいて、デジタルコードレス電話が用いられる場合、主装置から送られてくる例えばランプ表示等の制御データが多くなることが考えられる。このような場合、各スロットのＡフィールドは６４ビットしかないために、伝送速度が数ｋｂｐｓ程度しか確保できず、制御データの伝送に時間が掛かる場合があると考えられる。この場合、制御データの送信元が親機であり、送信先が子機であれば、当該子機において必要な制御をタイムリーに行えなくなることが発生する可能性が考えられ、このような場合に対応しておく必要がある。
【０００９】
以上のことに鑑み、この発明は、ＴＤＭＡ／ＴＤＤ方式の無線通信規格を利用したコードレス電話装置において、制御データを遅延させることなく伝送し、伝送（送信）先の機器において当該制御データに応じた制御を適切なタイミングで実行できるようにすることを目的とする。
【課題を解決するための手段】
【００１０】
上記課題を解決するため、請求項１に記載の発明のコードレス電話装置は、
親機と子機とを備え、当該親機と当該子機との間においては、制御データ伝送用の第１フィールドと前記第１フィールドよりもデータ長が長い音声データ伝送用の第２フィールドとを有する伝送単位でデータの伝送を行い、ＴＤＭＡ（Time Division Multiple Access；時分割多元接続）／ＴＤＤ（Time Division Duplex；時分割複信）方式の無線通信方式を用いるコードレス電話装置であって、
前記親機は、
前記子機からの通話開始要求を通話の相手先に送信したことに応じて前記相手先から送られてくる応答を受信したことにより、前記相手先と前記子機との間に通話回線を接続した状態である通話状態であると判別し、前記子機からの通話終了要求を前記相手先に送信したことに応じて前記相手先から送られてくる応答を受信したことにより、前記通話回線を解放した状態である非通話状態であると判別する第１の通話状態判別手段と、
前記第１の通話状態判別手段の判別結果に基づいて、前記通話回線を接続した状態である前記通話状態には、前記第１フィールドを用いて制御データを伝送し、前記第２フィールドを用いて音声データを伝送するようにし、前記通話回線を解放した状態である前記非通話状態には、少なくとも前記第２フィールドを用いて制御データを伝送するように制御する第１の送信制御手段と
を備え、
前記子機は、
発信を指示する操作を受け付けた場合に、通話の相手先への通話開始要求を形成して前記親機に送信したことに応じて前記親機からの応答を受信したことにより、前記相手先と自機との間に通話回線を接続した状態である通話状態であると判別し、前記通話回線を解放するように指示する操作を受け付けた場合に、通話終了要求を形成して前記親機に送信したことに応じて、前記親機からの応答を受信したことにより、前記通話回線を解放した状態である非通話状態であると判別する第２の通話状態判別手段と、
前記第２の通話状態判別手段の判別結果に基づいて、前記通話回線を接続した状態である前記通話状態には、前記第１フィールドから制御データを抽出し、前記第２フィールドから音声データを抽出して処理するように制御し、前記通話回線を解放した状態である前記非通話状態には、少なくとも前記第２フィールドから制御データを抽出して処理するように制御する第１の受信制御手段と
を備えることを特徴とする。
【００１１】
請求項１に記載の発明の無線通信システムによれば、親機と子機との間においては、制御データ伝送用の第１フィールドと当該第１フィールドよりもデータ長が長い音声データ伝送用の第２フィールドとを有する伝送単位でデータの伝送を行う構成を有する。また、親機と子機との間においては、ＴＤＭＡ／ＴＤＤ方式の無線通信方式（規格）を用いる構成を有する。そして、親機においては、第１の送信制御手段を備えている。そして、第１の通話状態判別手段を通じて自機の動作状態を判別し、その判別結果に基づいて、第１の送信制御手段が、制御データ等の伝送の仕方を制御する。
【００１２】
具体的に、第１の通話状態判別手段が自機の動作状態が相手先と子機との間に通話回線を接続した状態である通話状態であると判別したときには、第１の送信制御手段は、制御データは第１フィールドを用いて伝送し、音声データは第２フィールドを用いて伝送するように制御する。これに対して、第１の通話状態判別手段が自機の動作状態が前記通話回線を解放した状態である非通話状態にあると判別したときには、第１の送信制御手段は、少なくとも第２フィールドを用いて制御データを伝送するように制御する。
【００１３】
一方、子機においては、第２の通話状態判別手段を通じて自機の動作状態を判別し、その判別結果に基づいて、第１の受信制御手段が、受信した制御データ等の処理の仕方を制御する。
【００１４】
具体的に、第２の通話状態判別手段が、自機の動作状態が相手先と自機との間に通話回線を接続した状態である通話状態であると判別した時には、第１の受信制御手段は、第１フィールドから制御データを抽出し、第２フィールドから音声データを抽出して処理するように制御する。これに対して、第２の通話状態判別手段が、自機の動作状態が通話回線を解放した状態である非通話状態であると判別した場合には、少なくとも第２フィールドから制御データを抽出して処理するように制御する。
【００１５】
このように、伝送データの送信元である親機は、自機が通話状態にはないと判別したときには、通話音声は存在していないのであるから、第１フィールドよりもデータ長の長い音声データ伝送用の第２フィールドを用いて制御データの伝送を行う。一方、伝送データの受信先である子機は、自機が通話状態にはないと判別したときには、受信した伝送データの第２フィールドから制御データを抽出して、抽出した制御データに応じた制御を行う。これにより、通話状態にないときには、制御データの伝送遅延を生じさせることなく、制御データを効率的に伝送（送信）でき、制御データの送信先において、送信されてきた制御データに応じた制御を適切なタイミングで行える。
【発明の効果】
【００１６】
この発明によれば、ＴＤＭＡ／ＴＤＤ方式の無線通信方式を利用したコードレス電話装置において、制御データを遅延させることなく伝送できる。そして、当該制御データの伝送先の機器においては、受信した当該制御データに応じた制御を適切なタイミングで実行できる。
【図面の簡単な説明】
【００１７】
【図１】実施の形態の電話システム１０の全体の構成例を示すブロック図である。
【図２】親機ＢＳ１の構成例を示すブロック図である。
【図３】子機ＨＳ１の構成例を示すブロック図である。
【図４】親機から子機に伝送するスロットの利用例を説明するための図である。
【図５】非通話時のスロットの他の利用例を説明するための図である。
【図６】親機ＢＳと子機ＨＳの間のスロットの伝送シーケンスの具体例について説明するためのシーケンス図である。
【図７】親機ＢＳの処理を説明するためのフローチャートである。
【図８】子機ＨＳの処理を説明するためのフローチャートである。
【図９】ＤＥＣＴ規格のフレーム及びスロットの構成を説明するための図である。
【発明を実施するための形態】
【００１８】
以下、図を参照しながら、この発明のコードレス電話装置、無線通信方法の一実施の形態について説明する。以下に説明する実施の形態においては、この発明を種々の企業の事務所などに形成されるいわゆるビジネスホンと呼ばれる電話システムに適用した場合を例にして説明する。
【００１９】
［無線通信システムの構成例］
図１は、この実施形態の電話システム１０の全体の構成例を示すブロック図である。この例の電話システム１０においては、上位装置の例としての主装置１に対して、内線電話装置として、複数のコードレス電話装置２１、２２、・・・、２ｎ（ｎは２以上の整数。以下同じ）が接続されている。コードレス電話装置２１〜２ｎのそれぞれは、コードレス通信装置の例であり、親機としてのベースセットＢＳ１、ＢＳ２、・・・、ＢＳｎのそれぞれと、子機としてのハンドセットＨＳ１、ＨＳ２、・・・、ＨＳｎのそれぞれとからなり、親機ＢＳ１〜ＢＳｎのそれぞれと、子機ＨＳ１〜ＨＳｎのそれぞれとは、無線接続される。
【００２０】
なお、親機ＢＳ１〜ＢＳｎのそれぞれに対しては、複数の子機を無線接続することも可能であるが、この例では、１台の親機に対して、１台の子機が接続される構成とされている。また、図示は省略するが、主装置１に接続される内線電話装置としては、コードレス電話装置２１、２２、・・・、２ｎのみではなく、通常のビジネスホンと同様に、デジタルボタン電話端末も接続することも可能である。
【００２１】
そして、この実施形態では、コードレス電話装置２１〜２ｎの親機ＢＳ１〜ＢＳｎのそれぞれと、子機ＨＳ１〜ＨＳｎのそれぞれとの間の無線接続は、前述したデジタルコードレス電話のＤＥＣＴ規格（方式）を用いたＴＤＭＡ／ＴＤＤ方式により行うようにしている。
【００２２】
主装置１は、１又は複数の電話回線Ｌ１〜Ｌｍ（ｍは１以上の整数）を収容可能である。そして、コードレス電話装置２１〜２ｎのそれぞれの親機ＢＳ１〜ＢＳｎが、この主装置１に接続されている。図１の例では、親機ＢＳ１〜ＢＳｎと主装置１とは有線で接続されているが、無線であってもよい。
【００２３】
主装置１は、複数のコードレス電話装置２１〜２ｎについての呼制御及び回線交換制御、その他のビジネスホンとしての制御を行うと共に、基準同期信号ＳＹＮＣを複数のコードレス電話装置２１〜２ｎのそれぞれに供給する機能を備えている。基準同期信号ＳＹＮＣは、この例では、１３０ミリ秒（ｍｓ）周期の信号とされている。
【００２４】
コードレス電話装置２１〜２ｎの親機ＢＳ１〜ＢＳｎのそれぞれは、主装置１からの基準同期信号ＳＹＮＣに同期して、ＤＥＣＴ規格のデジタルコードレス電話の単位通信期間である１フレーム（１０ミリ秒（ｍｓ））の周期の同期信号としてのフレーム同期信号を生成し、その生成したフレーム同期信号に基づいて、ＤＥＣＴ規格を用いたＴＤＭＡ／ＴＤＤ方式の無線通信を子機ＨＳ１〜ＨＳｎとの間で実行する。したがって、複数のコードレス電話装置２１〜２ｎの全ては、主装置１からの基準同期信号ＳＹＮＣに同期した動作をする。
【００２５】
親機ＢＳ１〜ＢＳｎのそれぞれは、基準同期信号ＳＹＮＣに基づいて、フレーム同期信号を生成し、その生成したフレーム同期信号に基づいて、子機ＨＳ１〜ＨＳｎとの間で、１フレーム期間の複数のスロットの例えば一つ置きのスロットの内の一つを用いて無線通信を行うように制御する。
【００２６】
［コードレス電話装置の構成例］
複数個のコードレス電話装置２１〜２ｎの親機ＢＳ１〜ＢＳｎ及び子機ＨＳ１〜ＨＳｎのそれぞれは、全て同じ構成を備える。そこで、以下の説明では、コードレス電話装置２１の親機ＢＳ１及び子機ＨＳ１の場合を例にとって、親機及び子機の構成例を説明する。
【００２７】
＜親機の構成例；図２＞
図２は、親機ＢＳ１の構成例を示すブロック図である。この図２に示すように、親機ＢＳ１は、親機ＢＳ１の全体を制御するための制御回路４１と、回線ＬＳＩ部４２と、同期信号発生回路４３と、無線通信回路４４と、発振器４５及び４６とを備えて構成されている。
【００２８】
制御回路４１は、コンピュータを搭載して構成されている。そして、制御回路４１は、この親機ＢＳ１における呼制御などの制御を行う機能を備える。回線ＬＳＩ部４２は、主装置１との間で音声信号、制御信号及び同期信号のやり取りをするための回路であり、分割化／多重化処理部４２１と、制御信号処理部４２２と、音声信号処理部４２３と、同期信号検出部４２４と、ＰＬＬ（Phase  locked  Loop）部４２５とからなる。
【００２９】
ＰＬＬ部４２５には、発振器４５からの基準周波数の発振信号が供給されると共に、主装置１からの多重化信号が供給される。この例では、発振器４５の発振信号の周波数は、例えば２０４８ＭＨｚ（０．４８８ナノ秒（ｎｓ））とされている。
【００３０】
ＰＬＬ部４２５は、主装置１からの多重化信号から、いわゆるセルフクロッキングにより、主装置１のタイミング信号生成部からのクロック信号ＣＫの成分を抽出し、その抽出したクロック信号ＣＫ成分と発振器４５からの発振信号とを位相比較して、その比較結果に基づいて、発振器４５の発振信号から、クロック信号ＣＫ成分に同期する親機ＢＳ１のシステムクロック信号ＳＣＫを生成する。
【００３１】
そして、ＰＬＬ部４２５は、生成したシステムクロック信号ＳＣＫを分割化／多重化処理部４２１、制御信号処理部４２２、音声信号処理部４２３、同期信号検出部４２４のそれぞれに、信号処理用クロック信号として供給すると共に、同期信号発生回路４３に供給する。
【００３２】
分割化／多重化処理部４２１は、主装置１に接続されると共に、制御信号処理部４２２、音声信号処理部４２３、同期信号検出部４２４に接続される。そして、分割化／多重化処理部４２１は、主装置１からの多重化信号から制御信号と音声信号と基準同期信号ＳＹＮＣを分割して、制御信号は制御信号処理部４２２に、音声信号は音声信号処理部４２３に、基準同期信号ＳＹＮＣは同期信号検出部４２４に、それぞれ供給する。
【００３３】
また、分割化／多重化処理部４２１は、制御信号処理部４２２からの制御信号と、音声信号処理部４２３からの音声信号とを多重化して多重化信号を生成し、その生成した多重化信号を主装置１に供給する。
【００３４】
制御信号処理部４２２は、制御回路４１の制御信号入出力端に接続されると共に、分割化／多重化処理部４２１に接続されており、発信時及び着信時、また、終話時などにおける呼制御信号などの制御信号（主装置１からコードレス電話装置２１への制御信号と、コードレス電話装置２１から主装置１への制御信号の両方）の処理回路である。
【００３５】
音声信号処理部４２３は、無線通信回路４４に接続されると共に、分割化／多重化処理部４２１に接続されており、無線通信回路４４からの子機ＨＳ１から受信した受話音声信号及び分割化／多重化処理部４２１からの送話音声信号の処理回路である。
【００３６】
同期信号検出部４２４は、分割化／多重化処理部４２１からの基準同期信号ＳＹＮＣを受けて、当該基準同期信号ＳＹＮＣが備える所定の同期信号パターンを検出することで、その検出時点の信号として、基準同期信号ＳＹＮＣと同期する、基準同期信号ＳＹＮＣと同一周期（１３０ｍｓ）の基準同期パルスＰＳを発生する。そして、同期信号検出部４２４は、発生した基準同期パルスＰＳを同期信号発生回路４３に供給する。
【００３７】
同期信号発生回路４３は、カウンタ４３１と、同期信号生成部４３２とからなる。カウンタ４３１には、回線ＬＳＩ部４２の同期信号検出部４２４からの１３０ｍｓの周期の基準同期パルスＰＳがプリセット端子に供給されると共に、ＰＬＬ部４２５からのシステムクロック信号ＳＣＫがカウント入力として供給される。そして、このカウンタ４３１の出力カウント値ＣＮＴが同期信号生成部４３２に供給される。
【００３８】
同期信号生成部４３２は、カウンタ４３１の出力カウント値ＣＮＴから、ＤＥＣＴ規格のフレーム周期（１０ｍｓ）の同期信号ＦＬを発生する。同期信号発生回路４３は、同期信号生成部４３２で生成したフレーム同期信号ＦＬを無線通信回路４４に供給する。
【００３９】
次に、無線通信回路４４について説明する。この実施形態では、無線通信回路４４は、ＤＥＣＴ規格の無線通信を行うための汎用の親機用無線通信ＬＳＩを用いている。この無線通信回路４４は、制御部４４１と、ＴＤＭＡ変復調部４４２と、無線通信部４４３とを備えて構成されている。無線通信部４４３は、子機ＨＳ１との間で、無線通信を行うための回路部である。
【００４０】
制御部４４１は、ＴＤＭＡ変復調部４４２及び無線通信部４４３に接続されると共に、制御回路４１に接続されている。制御部４４１は、この無線通信回路４４の全体の動作を制御すると共に、制御回路４１から得た制御信号に基づく制御信号をＴＤＭＡ変復調部４４２に供給する。
【００４１】
ＴＤＭＡ変復調部４４２は、制御部４４１及び回線ＬＳＩ部４２の音声信号処理部４２３に接続されると共に、無線通信部４４３に接続されており、制御部４４１からの制御信号と音声信号処理部４２３からの音声信号を子機ＨＳ１に送信するために変調を行う。このＴＤＭＡ変復調部４４２で変調された信号は、無線通信部４４３を通じて子機ＨＳ１に送信される。
【００４２】
また、ＴＤＭＡ変復調部４４２は、無線通信部４４３で受信された子機ＨＳ１からの受信信号から、音声信号及び制御信号を復調し、復調した音声信号は音声信号処理部４２３に供給し、復調した制御信号は、制御部４４１に供給する。
【００４３】
そして、ＴＤＭＡ変復調部４４２は、クロック生成用のＰＬＬ部４４２１を備える。このＰＬＬ部４４２１には、発振器４６からの発振信号が供給されると共に、同期信号発生回路４３からのフレーム同期信号ＦＬが供給される。
【００４４】
ＰＬＬ部４４２１は、同期信号発生回路４３からのフレーム同期信号ＦＬと発振器４６からの発振信号とを位相比較して、その比較結果に基づいて、発振器４６の発振信号から、フレーム同期信号ＦＬに同期するタイミング信号及びクロック信号を生成する。
【００４５】
ＴＤＭＡ変復調部４４２は、フレーム同期信号ＦＬに同期するタイミング信号及びクロック信号を用いて、割り当て使用可能となるダウンリンクでのスロットの一つに相当する期間で子機ＨＳ１への送信信号を生成すると共に、アップリンクでのスロットの一つを用いて、子機ＨＳ１からの受信信号の処理を行うようにする。
【００４６】
なお、親機ＢＳ１は、主装置１に接続されて、前述したように、子機ＨＳ１との通信のための同期処理を開始し、常に、子機ＨＳ１に対して送信信号を送る。そして、親機ＢＳ１の無線通信回路４４の制御部４４１は、ＴＤＭＡ変復調部４４２で生成した送信信号を、自親機に設定された一つのスロットを用いて、無線通信部４４３を通じて子機ＨＳ１に送った時に、当該子機ＨＳ１から応答が返って来た時に、送信信号を送信するために用いたスロットをダウンリンク用と、子機ＨＳ１からの応答を受信したスロットをアップリンク用として同期を確立して、送受信を行うように制御するものである。
【００４７】
＜子機の構成例；図３＞
図３は、子機ＨＳ１の構成例を示すブロック図である。この図３に示すように、子機ＨＳ１は、無線通信回路５１と、制御回路５２と、コーデック回路５３と、発振器５４と、マイクロホン５５と、スピーカ５６とを備えて構成されている。マイクロホン５５は送話器を構成し、スピーカ５６は受話器を構成する。
【００４８】
無線通信回路５１は、ＤＥＣＴ規格の無線通信を行うための汎用の子機用無線通信ＬＳＩを用いている。この無線通信回路５１は、制御部５１１と、ＴＤＭＡ変復調部５１２と、無線通信部５１３とを備えて構成されている。無線通信部５１３は、親機ＢＳ１との間で、無線通信を行うための回路部である。
【００４９】
制御部５１１は、ＴＤＭＡ変復調部５１２及び無線通信部５１３に接続されると共に、制御回路５２に接続されている。制御部５１１は、この無線通信回路５１の全体の動作を制御すると共に、制御回路５２から得た制御信号に基づく制御信号をＴＤＭＡ変復調部５１２に供給する。
【００５０】
ＴＤＭＡ変復調部５１２は、制御部５１１及び無線通信部５１３に接続されると共に、コーデック回路５３と接続されており、制御部５１１からの制御信号とコーデック回路５３からの音声信号を親機ＢＳ１に送信するために変調を行う。このＴＤＭＡ変復調部５１２で変調された信号は、無線通信部５１３を通じて親機ＢＳ１に送信される。
【００５１】
また、ＴＤＭＡ変復調部５１２は、無線通信部５１３で受信された親機ＢＳ１からの受信信号から、音声信号及び制御信号を復調し、復調した音声信号はコーデック回路５３に供給し、復調した制御信号は、制御部５１１に供給する。
【００５２】
そして、ＴＤＭＡ変復調部５１２は、クロック生成用のＰＬＬ部５１２１を備える。このＰＬＬ部５１２１には、発振器５４からの発振信号が供給されると共に、無線通信部５１３からの受信信号の復調信号が供給され、このＰＬＬ部５１２１からは、発振器５４からの発振信号から、受信信号の復調信号のクロック成分に同期したクロック信号が生成される。このＰＬＬ部５１２１からのクロック信号は、ＴＤＭＡ変復調部５１２における処理用クロック信号とされる。
【００５３】
コーデック回路５３は、ＴＤＭＡ変復調部５１２で復調された音声信号を復号して、アナログ音声信号に変換し、そのアナログ音声信号をスピーカ５６に供給して、受話音声として放音する。また、コーデック回路５３は、マイクロホン５５で収音したアナログ音声信号を符号化して、ＴＤＭＡ変復調部５１２に供給するようにする。
【００５４】
なお、制御回路５２は、この子機ＨＳ１からの発呼時には、発呼時の呼制御信号を無線通信回路５１を通じて親機ＢＳ１に送信し、また、親機ＢＳ１からの着信時の呼制御信号を受けた時には、着信音をスピーカ５６から放音するなどの処理を行う。
【００５５】
以上の説明は、コードレス電話装置２１の親機ＢＳ１及び子機ＨＳ１についての説明であるが、前述したように、その他のコードレス電話装置２２〜２ｎの親機ＢＳ２〜ＢＳｎ及び子機ＨＳ２〜ＨＳｎについても同様の構成を有するものである。
【００５６】
［スロットの具体的な利用例］
次に、上述したコードレス電話装置（無線通信システム）を構成する親機ＢＳ１、ＢＳ２、…、ＢＳｎと子機ＨＳ１、ＨＳ２、…、ＨＳｎとの間で伝送されるＤＥＣＴ規格の符号化データを形成するスロットの具体的な利用例について説明する。なお、以下においては、親機ＢＳ１、ＢＳ２、…、ＢＳｎを総称して親機ＢＳと記載し、子機ＨＳ１、ＨＳ２、…、ＨＳｎを総称して子機ＨＳと記載する。
【００５７】
図９（Ａ）に示したように、ＤＥＣＴ規格の符号化データにおいて、１フレームは２４スロットから構成される。そして、図９（Ｂ）に示したように、１スロットは、基本的に、同期化データ伝送用のＳフィールドと、制御データ伝送用のＡフィールドと、音声データ伝送用のＢフィールドと、パリティチェック用のＸフィールドと、保護スペースからなる。
【００５８】
この実施の形態の親機ＢＳと子機ＨＳとの一方あるいは両方においては、各スロットの利用の仕方を通話時と非通話時とで異ならせる。こうすることで、通話時には、従来通り通話に支障を来たすことがないようにしながら必要な制御データを伝送する。一方、非通話時には、例えば、制御データが頻繁に発生するなどして伝送すべき制御データが増大しても、すべての制御データを遅延させることがないようにしながら必要な制御データの全てを伝送する。以下、スロットの利用例について具体的に説明する。
【００５９】
なお、上述したように、この発明は、親機ＢＳと子機ＨＳとの一方あるいは両方において、各スロットの利用の仕方を通話時と非通話時とで異ならせる点を特徴とする。しかし、ここでは説明を簡単にするため、親機ＢＳにおいて、各スロットの利用の仕方を通話時と非通話時とで異ならせる場合について説明する。
【００６０】
図４は、この実施の形態のコードレス電話装置の親機ＢＳから子機ＨＳに伝送するスロットの利用例を説明するための図であり、図４（Ａ）は通話時の利用例を、図４（Ｂ）は非通話時の利用例を示している。図４（Ａ）に示した通話時のスロットにおいても、また、図４（Ｂ）に示した非通話時の利用例のスロットにおいても、Ｓフィールド、Ｘフィールド、保護スペースの利用の仕方（利用態様）は、図９（Ｂ）に示した場合と同じである。すなわち、Ｓフィールドは同期化データを、Ｘフィールドはパリティチェック用データを伝送し、保護スペースは隣接するスロットからの保護のためのスペースとなる。
【００６１】
そして、通話時においては、図４（Ａ）に示すように、従来通り、制御データはＡフィールドを用いて伝送し、音声データはＢフィールドを用いて伝送する。Ｂフィールドのデータ長は３２０ビットと比較的に大きな領域であり、３２ｋｂｐｓの伝送速度を確保でき、良好に通話が行える。また、通話時においては、リアルタイムに行うべき制御は少ないので、６４ビットのデータ長のＡフィールドを用いて制御データを伝送することによって、適切に制御が可能である。
【００６２】
これに対して、非通話時においては、ランプ制御の制御データなど、種々の制御用の制御データが頻繁に発生する場合があるため、図４（Ｂ）に示すように、Ａフィールドは用いずに、Ｂフィールドを用いて制御データを伝送する。非通話時においては、通話音声データは存在しない。このため、３２０ビットのＢフィールドが未使用の状態となるので、このＢフィールドを用いて制御データを伝送する。ここで、制御データは、当該制御データに関する種々のヘッダ情報をも含む。これにより、非通話時においては、制御データを３２ｋｂｐｓの伝送速度で伝送できる。従って、制御データの伝送を遅滞なく行うことができ、制御データの送信先である子機ＨＳにおいては、受信した制御データに応じた制御を遅滞なく行える。
【００６３】
このように、スロットの送信元である親機ＢＳは、自機が通話状態にあるときには、図４（Ａ）に示したようにＡフィールドで制御データを伝送し、Ｂフィールドで音声データを伝送する。また、スロットの送信元である親機ＢＳは、自機が非通話状態にあるときには、図４（Ｂ）に示したようにＡフィールドは用いずにＢフィールドで制御データを伝送する。
【００６４】
一方、当該スロットの受信先である子機ＨＳは、自機が通話状態にあるときには、Ａフィールドから制御データを抽出し、当該制御データに応じた制御を実行し、Ｂフィールドからは音声データを抽出して、これを処理する。また、当該スロットの受信先である子機ＨＳは、自機が非通話状態にあるときには、Ａフィールドは用いられていないので、Ｂフィールドから制御データを抽出して、当該制御データに応じた制御を実行する。
【００６５】
このようにして、この実施の形態のコードレス電話装置においては、通話時においては従来通りの態様で各スロットを使用することにより、通話を適切に行えるようにしつつ、必要な制御データも適切に伝送できるようにしている。そして、非通話時においては、Ｂフィールドを制御データの伝送に用いることにより、制御データが増大しても、高速に制御データを子機に伝送できるようにしている。これにより、制御データの伝送遅延を防止して、制御データの伝送先である子機ＨＳにおいて、受信した制御データに応じた制御を遅滞なく実行できるようにしている。
【００６６】
［スロットの他の利用例］
図４（Ｂ）に示した非通話時のスロットの利用例では、Ａフィールドは使用しないものとした。しかし、非通話時において、Ｂフィールドに加えて、Ａフィールドをも利用する構成としてもよい。すなわち、Ｂフィールドで制御データを伝送しつつ、Ａフィールドを利用して必要な情報を伝送してもよい。図５は、非通話時のスロットの他の利用例を説明するための図である。
【００６７】
図５（Ａ）に示す他の利用例１において、Ａフィールドでは、当該スロットのＡフィールドとＢフィールドとの使用態様を示す所定の識別情報（識別ＩＤ）と、Ｂフィールドで送信する制御データについてのいわゆるヘッダ情報とを伝送する。この場合の識別ＩＤは、Ａフィールドで制御データに関するヘッダ情報を伝送し、Ｂフィールドで制御データを伝送することを示すものである。また、制御データについてのヘッダ情報は、例えば、制御データのデータ長を示す情報、何に関する制御データかを示す制御データ区分、送信元の識別情報、送信先の識別情報、送信日時などの制御データに関する種々のヘッダ情報が含まれる。そして、Ｂフィールドでは、ヘッダ情報を除く制御データのみを伝送する。
【００６８】
このようにすることによって、図５（Ａ）に示した当該スロットを受信した機器では、Ａフィールドの識別ＩＤによって、Ａフィールドでは制御データに関するヘッダ情報が伝送され、Ｂフィールドでは制御データが伝送されていることを確実に判別できる。そして、当該スロットを受信した機器では、Ａフィールドで伝送される制御データについてのヘッダ情報に基づいて、Ｂフィールドで伝送される制御データを適切に利用できる。
【００６９】
また、図５（Ｂ）に示す他の利用例２において、Ａフィールドでは、識別ＩＤと、当該スロットで伝送する制御データに関するヘッダ情報と、制御データの一部とを伝送する。ここで、識別ＩＤは、図５（Ａ）に示した例の場合と同様に、当該スロットのＡフィールドとＢフィールドとの使用態様を示す所定の識別情報である。従って、この場合の識別ＩＤは、Ａフィールドでは制御データに関するヘッダ情報と制御データの一部とを伝送し、Ｂフィールドで制御データの残りの部分を伝送することを示すものである。
【００７０】
また、図５（Ｂ）に示した例の場合における制御データについてのヘッダ情報は、Ａフィールドで伝送する制御データのデータ長を示す情報と、Ｂフィールドで伝送する制御データのデータ長を示す情報などを含む。なお、この場合にも、例えば、何に関する制御データかを示す制御データ区分、送信元の識別情報、送信先の識別情報、送信日時などの制御データについての種々のヘッダ情報を、Ａフィールドを用いて伝送することもできる。
【００７１】
この図５（Ｂ）に示した他の利用例２の場合には、Ａフィールドについても有効に活用できる。また、リアルタイムに伝送する必要のある主要な制御データについては、Ｂフィールドを用いて伝送し、例えば、すぐに使用する制御データではないが、予め子機に送信しておくべき制御データはＡフィールドを用いて、時間を掛けて伝送するといった使い分けもできる。
【００７２】
［親機と子機間の処理の概要］
図６は、親機ＢＳと子機ＨＳとの間のスロットの伝送シーケンスの具体例について説明するためのシーケンス図である。ここでは、子機ＨＳ側から通話開始を要求して、通話回線を接続し通話を行った後に、子機ＨＳ側から通話終了を要求して、通話回線を解放するシーケンスを含む場合を例にして説明する。
【００７３】
親機ＢＳにおいては、例えば、無線通信回路４４の制御部４４１が自機の動作状態を管理している。親機ＢＳは自機が非通話中のときには、制御部４４１の制御に従い、ＴＤＭＡ変復調部４４２において、例えば、図４（Ｂ）を用いて説明したように、Ｂフィールドのみを用いて制御データを送信するようにしたスロットを形成し、これを送信先である子機ＨＳに送信する（ステップＳＴ１、ＳＴ３）。
【００７４】
子機ＨＳにおいては、例えば、無線通信回路５１の制御部５１１が自機の動作状態を管理している。当該スロットの送信先である子機は、当該スロットを受信し、制御部５１１の制御に応じて、ＴＤＭＡ変復調部５１２が受信したスロットのＢフィールドから制御データを抽出し、当該制御データに応じた制御を行うように動作する。また、当該子機においては、制御回路５２が無線通信回路５１の制御部５１１を制御し、スロットを受信したことを示す応答を返信するように制御する。制御部５１１は、ＴＤＭＡ変復調部５１２を制御し、スロットを受信したことを示す応答（スロット）を形成して、これを無線通信部５１３を通じて親機に返信する（ステップＳＴ２、ＳＴ４）。
【００７５】
この場合、親機ＢＳから子機ＨＳへの制御データは、３２０ビットのＢフィールドを用いて伝送されるので、制御データが頻繁に発生するなどしても、全ての制御データを遅滞なく、子機に送信できる。当該スロットを受信する子機においては、制御データの提供を遅滞なく受けることができるので、当該制御データに応じた制御、例えば、ランプの点灯／消灯制御等を含む種々の制御を、適切なタイミングで行える。すなわち、親機から提供された制御データに応じた制御を遅滞なく行える。
【００７６】
そして、子機ＨＳのユーザが、当該子機に対して目的とする相手先に電話をかけるようにする発信を指示する操作を行うことにより、通話開始要求を入力したとする（ステップＳＴ１１）。当該通話開始要求を受け付けた子機において、制御回路５２が発信を行うように無線通信回路５１の制御部５１１を制御する。これにより、制御部５１１がＴＤＭＡ変復調部５１２を制御し、目的とする相手先に対する通話開始要求を形成し、これを無線通信部５１３を通じて親機ＢＳに送信する（ステップＳＴ１２）。当該親機ＢＳは、子機からの通話開始要求を受信すると、制御回路４１が応答を返信するように、無線通信回路４４の制御部４４１を制御する。制御部４４１は、ＴＤＭＡ変復調部４４２を制御し、通信開始要求を受信したことを示す応答（スロット）を形成して、これを無線通信部４４３を通じて子機に返信する（ステップＳＴ１３）。
【００７７】
この場合、親機ＢＳの制御回路４１は、相手先への通話開始要求を、主装置１を介して相手先に送信し、相手先からの応答を受信して、当該相手先と通話開始要求元の子機ＨＳとの間に通話回線を接続し（ステップＳＴ２０）、通話を行えるようにする。そして、親機は、自機が通話中になると、制御部４４１がＴＤＭＡ変復調部４４２を制御して、図４（Ａ）を用いて説明したように、制御データはＡフィールドを用い、音声データはＢフィールドを用いて送信するスロットを形成し、これを子機に送信する（ステップＳＴ２１、ＳＴ２３）。
【００７８】
当該スロットの送信先である子機ＨＳは、当該スロットを受信して、制御部５１１がＴＤＭＡ変復調部５１２を制御して、Ａフィールドから制御データを抽出し、当該制御データに応じた制御を行うようにすると共に、Ｂフィールドから音声データを抽出し、これをコーデック回路５３に供給して出力処理を行う。また、当該子機ＨＳは、制御部５１１がＴＤＭＡ変復調部５１２を制御して、親機からのスロットと同様に、Ａフィールドを用いて制御データを、Ｂフィールドを用いてコーデック回路５３からの音声データを送信するスロットを形成し、これを無線通信部５１３を通じて親機ＢＳに送信する（ステップＳＴ２２、ＳＴ２４）。
【００７９】
この場合、親機と子機との双方において、制御データは６４ビットのＡフィールドを用いて伝送されるが、通話中であるために、リアルタイムに反映させるべき制御データは比較的に少なく、発生した制御データを適切に相手先に伝送できる。また、通話音声自体は、３２０ビットのＢフィールドを用いて伝送されるので、通話音声（音声データ）を適切に伝送して、通話が途切れるなどの不都合を発生させることなく、相互に適切に通話ができる。
【００８０】
この後、子機のユーザが、当該子機に対して、通話が終了し、接続している通信回線を解放するように指示する操作を行うことにより、通話終了要求を入力したとする（ステップＳＴ３１）。当該通話終了要求を受け付けた子機においては、制御回路５２が無線通信回路５１の制御部５１１を制御して、通話終了要求を形成して送信するようにする。制御部５１１は、ＴＤＭＡ変復調部５１２を制御し、目的とする相手先に対する通話終了要求を形成し、これを無線通信部５１３を通じて親機ＢＳに送信する（ステップＳＴ３２）。
【００８１】
当該親機ＢＳは、子機からの通話終了要求を受信すると、制御回路４１が応答を返信するように、無線通信回路４４の制御部４４１を制御する。制御部４４１は、ＴＤＭＡ変復調部４４２を制御し、通信終了要求を受信したことを示す応答（スロット）を形成して、これを無線通信部４４３を通じて子機に返信する（ステップＳＴ３３）。
【００８２】
親機ＢＳの制御回路４１は、受信した通話終了要求を、主装置１を介して相手先に送信し、相手先からの応答を受信して、当該相手先と通話終了要求元の子機ＨＳとの間に接続している通話回線を解放し（ステップＳＴ４０）、通話を終了させる。そして、親機ＢＳは、自機が非通話中になると、上述もしたように、制御部４４１の制御に従い、ＴＤＭＡ変復調部４４２において、例えば、図４（Ｂ）に示したＡフィールドは用いずに、Ｂフィールドを用いて制御データを送信するスロットを形成し、これを送信先である子機ＨＳに送信する（ステップＳＴ４１、ＳＴ４３等）。当該スロットの送信先である子機ＨＳは、上述もしたように、当該スロットを受信して、Ｂフィールドから制御データを抽出し、当該制御データに応じた制御を行うように動作する。また、当該子機ＨＳは、当該スロットを受信したことを示す応答を形成して、これを親機ＢＳに返信する（ステップＳＴ４２、ＳＴ４４）。
【００８３】
このように、非通話中になった場合には、親機ＢＳは、３２０ビットのＢフィールドを用いて制御データを伝送する。このため、上述もしたように、制御データが増大しても、制御データに伝送が遅延することもなく、制御データの伝送先である子機ＨＳにおいて、提供された制御データに応じた制御を適切なタイミングで実行できる。
【００８４】
なお、ここでは、非通話時においては、図４（Ｂ）に示したように、Ａフィールドは用いずに、Ｂフィールドを用いて制御データを伝送するものとして説明したが、これに限るものではない。非通話時においては、図５（Ａ）、（Ｂ）を示した態様のスロットを形成し、制御データを伝送するようにしてももちろんよい。
【００８５】
［親機ＢＳの処理］
次に、この実施の形態の親機ＢＳの処理についてまとめる。図７は、この実施の形態の親機ＢＳの処理を説明するためのフローチャートである。図７に示すフローチャートは、親機ＢＳの無線通信回路４４の主に制御部４４１において実行される処理である。
【００８６】
この実施の形態の親機ＢＳにおいては、電源が投入されると、無線通信回路４４の制御部４４１において、図７に示す処理を実行する。制御部４４１は、上述もしたように、自機の動作状態を把握しているので、まず、現在の自機の動作状態を判別し（ステップＳ１０１）、判別した自機の現在の動作状態を例えば制御部４４１が有する所定のメモリに記憶して保持する（ステップＳ１０２）。そして、制御部４４１は、今回判別した現在の自機の動作状態は、通話中か否かを判別する（ステップＳ１０３）。
【００８７】
ステップＳ１０３の判別処理において、制御部４４１は自機の動作状態が通話中であると判別したとする。この場合、制御部４４１は、ＴＤＭＡ変復調部４４２を制御して、自機の動作モードを各スロットのＡフィールドを用いて制御データを伝送し、Ｂフィールドを用いて音声データを伝送するモードとなる（ステップＳ１０４）。これにより、親機ＢＳにおいては、図４（Ａ）を用いて説明した態様のスロットが形成され、子機に送信する処理が行われる。
【００８８】
また、ステップＳ１０３の判別処理において、制御部４４１は自機の動作状態は通話中ではない（非通話中である）と判別したとする。この場合、制御部４４１は、ＴＤＭＡ変復調部４４２を制御して、自機の動作モードを各スロットのＢフィールドを用いて制御データを伝送するモードとなる（ステップＳ１０５）。これにより、親機ＢＳにおいては、図４（Ｂ）、あるいは、図５（Ａ）、（Ｂ）を用いて説明した態様のスロットが形成され、子機ＨＳに送信する処理が行われる。
【００８９】
ステップＳ１０４の処理の後、あるいは、ステップＳ１０５の処理の後において、制御部４４１は、再度自機の動作状態を判別する（ステップＳ１０６）。そして、制御部４４１は、今回判別した動作状態と、ステップＳ１０２において所定のメモリに記憶した先に判別した動作状態とを比較して、自機の動作状態は変化したか否かを判別する（ステップＳ１０７）。ステップＳ１０７の判別処理において、動作状態は変化していないと判別した場合には、動作モードを変更する必要はないので、ステップＳ１０６からの処理を繰り返す。
【００９０】
また、ステップＳ１０７の判別処理において、動作状態は変化したと判別した場合には、制御部４４１は、ステップＳ１０２からの処理を繰り返す。ステップＳ１０６で判別した新たな動作状態に応じて、自機の動作モードを変更するためである。そして、ステップＳ１０２からステップＳ１０５の処理により、上述もしたように、通話中か否かに応じて、適切な動作モードに遷移するようにされる。これにより、制御データが増大しても、親機ＢＳは、制御データを適切に子機ＨＳに伝送することができ、子機ＨＳにおいては、親機ＢＳから提供された制御データに応じた制御を適切なタイミングで実行できる。
【００９１】
［子機ＨＳの処理］
上述のように、親機ＢＳにおいては、自機が通話中か、非通話中かに応じて、図４（Ａ）に示した態様でスロットを形成して送信するか、図４（Ｂ）、図５（Ａ）、図５（Ｂ）に示した態様でスロットを形成して送信するかを切り替える。なお、非通話時において、図４（Ｂ）に示した態様でスロットを形成して送信するか、図５（Ａ）あるいは図５（Ｂ）に示した態様でスロットを形成して送信するかは事前に決められる。
【００９２】
そして、親機ＢＳと子機ＨＳとはペアを構成し、子機ＨＳは親機ＢＳを通じて通話を行うので、子機ＨＳが通話中のときは、対応する親機ＢＳも通話中であり、子機ＨＳが非通話中のときには、対応する親機ＢＳも非通話中である。このように、親機ＢＳと子機ＨＳの動作状態は一致する。そして、子機ＨＳにおいても、無線通信回路５１の制御部５１１が自機の動作状態を把握している。
【００９３】
このため、親機ＢＳからのスロットを受信する子機ＨＳにおいては、予め決められる親機ＢＳにおいて形成されるスロットの態様と、自機の動作状態に応じて、親機ＢＳから提供されるスロットの処理の仕方が決められる。図８は、この実施の形態の子機ＨＳの処理を説明するためのフローチャートである。図８に示すフローチャートは、子機ＨＳの無線通信回路５１の主に制御部５１１において実行される処理である。
【００９４】
子機ＨＳにおいても、電源が投入されると、無線通信回路５１の制御部５１１において、図８に示す処理を実行する。制御部５１１は、上述もしたように、自機の動作状態を把握しているので、まず、現在の自機の動作状態を判別し（ステップＳ２０１）、判別した自機の現在の動作状態を例えば制御部５１１内の所定のメモリに記憶して保持する（ステップＳ２０２）。そして、制御部は、今回判別した現在の自機の動作状態は、通話中か否かを判別する（ステップＳ２０３）。
【００９５】
ステップＳ２０３の判別処理において、制御部５１１は自機の動作状態が通話中であると判別したとする。この場合、対応する親機も通話中であるので、従来通り、各スロットのＡフィールドで制御データが、Ｂフィールドで音声データが伝送されて来る。このため制御部５１１は、ＴＤＭＡ変復調部５１２を制御して、自機の動作モードを各スロットのＡフィールドから制御データを抽出して自機の制御に用いると共に、Ｂフィールドから音声データを抽出して、これをコーデック回路５３を通じて処理して出力するモードとなる（ステップＳ２０４）。これにより、親機ＢＳから送信されてくる図４（Ａ）を用いて説明した態様のスロットについて、適切に処理がなされ、制御データに応じた制御と通話音声の再生が行われる。
【００９６】
また、ステップＳ２０３の判別処理において、制御部５１１は自機の動作状態は通話中ではない（非通話中である）と判別したとする。この場合、制御部５１１は、ＴＤＭＡ変復調部５１２を制御して、自機の動作モードを各スロットのＢフィールドを用いて伝送されてくる制御データを抽出し、これに応じた制御を行うモードとなる（ステップＳ２０５）。この場合、親機ＢＳからは、図４（Ｂ）、図５（Ａ）、図５（Ｂ）のいずれの態様のスロットを形成して送信してくるのかは、予め決まっているので、これに対応して、制御データが適切に抽出され、制御に用いることができるようにされる。
【００９７】
ステップＳ２０４の処理の後、あるいは、ステップＳ２０５の処理の後において、制御部５１１は、再度自機の動作状態を判別する（ステップＳ２０６）。そして、制御部５１１は、今回判別した動作状態と、ステップＳ２０２において所定のメモリに記憶した先に判別した動作状態とを比較して、自機の動作状態は変化したか否かを判別する（ステップＳ２０７）。ステップＳ２０７の判別処理において、動作状態は変化していないと判別した場合には、動作モードを変更する必要はないので、ステップＳ２０６からの処理を繰り返す。
【００９８】
また、ステップＳ２０７の判別処理において、動作状態は変化したと判別した場合には、制御部５１１は、ステップＳ２０２からの処理を繰り返す。ステップＳ２０６で判別した新たな動作状態に応じて、自機の動作モードを変更するためである。そして、ステップＳ２０２からステップＳ２０５の処理により、上述もしたように、通話中か否かに応じて、適切な動作モードに遷移するようにされる。これにより、親機ＢＳからのスロットを適切に処理して、親機ＢＳからの制御データに応じた制御を適切に実行できると共に、通話も従来通り適切に行える。
【００９９】
ここで、親機ＢＳにおいて、通話中のときには図４（Ａ）に示した態様でスロットを形成して送信し、非通話中のときには、図５（Ａ）、あるいは、図５（Ｂ）に示した態様でスロットを形成して送信している場合の子機ＨＳの処理についてまとめる。この場合に、子機ＨＳにおいて、無線通信回路５１の制御部５１１が自機の動作状態を判別し、自機の動作状態が非通話中であると判別したとする。
【０１００】
制御部５１１は、ＴＤＭＡ変復調部５１２を制御し、親機からのスロットについては、Ａフィールドの上述した識別ＩＤに基づいて、ＡフィールドとＢフィールドとがどのように用いられているのかを判別し、これに応じて処理を行うことになる。すなわち、Ａフィールドに格納された識別ＩＤが、当該スロットが図５（Ａ）に示したように、Ａフィールドで制御データのヘッダ情報を、Ｂフィールドで制御データを伝送することを示すものであったとする。この場合、無線通信回路５１の制御部５１１は、Ａフィールドから制御データについてのヘッダ情報を抽出し、当該ヘッダ情報に従って、Ｂフィールドに格納されている制御データを抽出して用いる。
【０１０１】
また、Ａフィールドに格納された識別ＩＤが、当該スロットが図５（Ｂ）に示したように、Ａフィールドで制御データのヘッダ情報と制御データの一部を、Ｂフィールドで制御データの残りの部分を伝送することを示すものであったとする。この場合、無線通信回路５１の制御部５１１は、Ａフィールドから制御データについてのヘッダ情報を抽出し、当該ヘッダ情報に従って、Ａフィールドに格納されている制御データと、Ｂフィールドに格納されている制御データを抽出して用いるようにする。
【０１０２】
このように、この例の場合、子機ＨＳにおいては、自機の動作状態と、受信したスロットのＡフィールドの識別ＩＤとに応じて、各スロットのＡフィールドとＢフィールドとを使い分けて、適切に処理できる。
【０１０３】
［実施の形態の効果］
上述した実施の形態のコードレス電話装置の場合には、親機は、非通話時においては、音声データのための伝送フィールドであるために使用されない３２０ビットのＢフィールドを用いて制御データを伝送する。これにより、非通話時における制御データの伝送速度を少なくとも３２ｋｂｐまで確保できる。そして、制御データが増大するなどしても制御データの伝送遅延を生じさせないようにでき、制御データの提供を受ける子機においては、親機からの制御データに応じた制御を遅延させることなくタイムリーに実行できる。これらのことから、より信頼性の高いコードレス電話装置を構築できる。
【０１０４】
［変形例など］
上述した実施の形態の親機ＢＳにおいては、無線通信回路４４の制御部４４１が、自機の動作状態を把握し、必要の都度、自機の動作状態を判別するようにした。しかし、これに限るものではない。図２を用いて説明したように、親機ＢＳは、主装置１や子機ＨＳからの制御データに応じて、各部を制御する制御回路（ＣＰＵ）４１を備えている。当該制御回路４１もまた、自機の動作状態を把握し、適宜のタイミングで自機の動作状態を判別できる。このため、自機の動作状態を判別するための手段として、回線ＬＳＩ部４２と無線通信回路４４との間に設けられた制御回路４１を用いるようにすることもできる。
【０１０５】
同様に、図３を用いて説明したように、子機ＨＳは、親機ＢＳからの制御データやユーザからの指示入力に応じて、各部を制御する制御回路（ＣＰＵ）５２を備えている。当該制御回路５２もまた、自機の動作状態を把握し、適宜のタイミングで自機の動作状態を判別できる。このため、自機の動作状態を判別するための手段として、コーデック回路５３と無線通信回路５１との間に設けられた制御回路５２を用いるようにすることもできる。
【０１０６】
また、上述した実施の形態においては、非通話時におけるスロットの利用態様の具体例として、図４（Ｂ）、図５（Ａ）、図５（Ｂ）を用いて説明したが、これに限るものではない。非通話時において、音声データの伝送フィールドであるＢフィールドを利用する種々の態様を用いることができる。例えば、図５（Ｂ）を用いて説明したように、非通話時において、ＡフィールドとＢフィールドとで、制御内容の異なる２種類の制御データを伝送することができる。
【０１０７】
また、上述した実施の形態の各スロットのＢフィールドは、３２０ビットと比較的に大きなエリアであるので、Ｂフィールドを複数の領域に分割し、分割した各領域の使い方を詳細に定めることもできる。
【０１０８】
また、上述した実施の形態では、ＴＤＭＡ／ＴＤＤ方式の無線通信方式を利用したＤＥＣＴ規格のコードレス電話装置に、この発明を適用した場合を例にして説明したが、これに限るものではない。制御データを伝送するエリアと音声データを伝送するエリアを有する所定ビット長の伝送単位でデータを伝送する種々の伝送方式を用いる無線通信システムに、この発明を適用できる。
【０１０９】
また、上述した実施の形態では、親機ＢＳから子機ＨＳに伝送するスロットについて、通話中と非通話中とでスロットを構成するフィールドの使い方を変えるようにした。これは、通常、親機ＢＳから子機ＨＳへ提供すべき制御データが多いためである。しかし、これに限るものではない。子機ＨＳから親機ＢＳに伝送するスロットについても、上述した親機ＢＳの場合と同様に、通話中と非通話中とでスロットを構成するフィールドの使い方を変えるようにしてもよい。この場合には、親機ＢＳにおいて、上述した子機ＨＳで行ったように、子機ＨＳからのスロットを処理するようにすればよい。
【０１１０】
もちろん、親機ＢＳと子機ＨＳの双方において、通話時には、図４（Ａ）に示した態様で、非通話時には、図４（Ｂ）、図５（Ａ）、図５（Ｂ）のいずれかに示した態様で、スロットを形成して伝送するようにしてももちろんよい。
【０１１１】
［その他］
親機における第１の通話状態判別手段、第１の送信制御手段の各機能は、親機ＢＳの無線通信回路４４の制御部４４１が実現し、子機における第２の通話状態判別手段、第１の受信制御手段の各機能は、子機ＨＳの無線通信回路５１の制御部５１１が実現している。
【０１１２】
また、親機の第２の受信制御手段の機能は、親機ＢＳの無線通信回路４４の制御部４４１が実現し、子機の第２の送信制御手段の機能は、子機ＨＳの無線通信回路５１の制御部５１１が実現している。
【０１１３】
また、図６のシーケンス図、図７、図８のフローチャートを用いて説明した方法が、この発明の無線通信方法の一実施の形態が適用されたものである。
【符号の説明】
【０１１４】
１…主装置、２１〜２ｎ…コードレス電話装置、ＢＳ、ＢＳ１〜ＢＳｎ…親機、ＨＳ、ＨＳ１〜ＨＳｎ…子機、４１…制御回路、４４…無線通信回路、４４１…制御部、４４２…ＴＤＭＡ変復調部、４４３…無線通信部、５２…制御回路、５１…無線通信回路、５１１…制御部、５１２…ＴＤＭＡ変復調部、５１３…無線通信部
【図１】
0006055431.tif 000002
【図２】
0006055431.tif 000003
【図３】
0006055431.tif 000004
【図４】
0006055431.tif 000005
【図５】
0006055431.tif 000006
【図６】
0006055431.tif 000007
【図７】
0006055431.tif 000008
【図８】
0006055431.tif 000009
【図９】
0006055431.tif 000010